(57)【特許請求の範囲】
【請求項１】
各側壁が開口縁に向かって少し外に拡がるように傾斜している矩形容器であって、その相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を少なくとも４組形成し、該支脚部には凸出寸法に大小を設け、凸出寸法の大きい方の支脚部を該容器の中央寄りに形成するとともに、中央寄りに形成された凹凸寸法の大きい方の組である支脚部とポケット部の幅寸法を隅角部寄りに形成された凹凸寸法の小さい方の組である支脚部とポケット部の幅寸法よりも狭くしてなることを特徴とした運搬用容器。
【請求項２】
各側壁が開口縁に向かって少し外に拡がるように傾斜している矩形容器であって、その相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を少なくとも４組形成し、組違いでは凸出寸法の大きい支脚部が凹窪寸法の小さいポケット部に嵌入不能なるように凹凸寸法が互いに異なる組を設けるとともに、その凹凸寸法の小さい方の組を該容器の隅角部寄りに形成し、凹凸寸法の大きい方の組を該容器の中央寄りに形成し、中央寄りに形成された凹凸寸法の大きい方の組である支脚部とポケット部の幅寸法を隅角部寄りに形成された凹凸寸法の小さい方の組である支脚部とポケット部の幅寸法よりも狭くしてなることを特徴とした運搬用容器。
【発明の詳細な説明】
【０００１】
【発明の属する技術分野】
本発明は積み上げおよび重ね合わせが可能な運搬用容器に関するものである。
【０００２】
【従来の技術】
本出願人の登録実用新案である実公平７−３４８１５号公報に示された運搬用容器は、各側壁が開口縁に向かって少し外に拡がるように傾斜している矩形容器であって、その相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を形成してなり、使わない時は下段の容器に対して上段の容器を水平面内で１８０度回転させて乗せることで下段の容器のポケット部に上段の容器の支脚部を嵌入させて容器どうしを重ね合わせ（以下ネスティングという）嵩張らないように出来るとともに、部品等の内容物を容れているときは下段の容器の開口縁上に上段の容器の支脚部が乗ることで内容物を圧迫することなく積み上げられる（以下スタッキングという）ように構成したものである。
【０００３】
また上記実用新案に係る運搬用容器は、上記支脚部とポケット部とを少なくとも４組形成し、その組違いでは凸出寸法の大きい支脚部が凹窪寸法の小さいポケット部に嵌入不能なるように凹凸寸法が互いに異なる組を設けてその凹凸寸法の大きい方の組を該容器の最も隅角部寄りに形成してなるものであり、これによってスタッキングのために上段の容器をスライドさせたときにその支脚部が下段の容器のポケット部に無用に嵌入することがなくスムースなスライドを可能とするものであった。
【０００４】
【発明が解決しようとする課題】
ところで、こうしてスタッキング，ネスティングを可能とした運搬用容器では、スタッキング時に下段の容器と上段の容器との接触面積が普通の運搬用容器に比べて少なく、下段の容器の開口縁に上段の容器の支脚部より集中荷重が加わることで、多段に積み上げられるとその荷重によって下段の容器の開口縁が強度不足で変形，破損を起こすおそれがあった。
【０００５】
特に上記運搬用容器は、下段の容器の開口縁の凹窪寸法の大きいポケット部付近に上段の容器の凸出寸法の小さい方の支脚部が乗るものであるから、下段の容器のポケット部付近に集中荷重が掛かり、該ポケット部付近が強度不足となり変形，破損等を起こし易いという問題があった。
【０００６】
なおこうした問題は、周知のようにこの種の運搬用容器は主にプラスチックの射出成形により製造されるものであるので、強度不足部分のみを極部的に肉厚にして強度アップすることは新たに成形上の困難が生じて問題解決にならないという事情もある。
【０００７】
【課題を解決するための手段】
本発明はこのような課題を解消し得る積上，重合可能な運搬用容器を提供しようとするもので、各側壁が開口縁に向かって少し外に拡がるように傾斜している矩形容器であって、その相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を少なくとも４組形成し、該支脚部には凸出寸法に大小を設け、凸出寸法の大きい方の支脚部を該容器の中央寄りに形成するとともに、中央寄りに形成された凹凸寸法の大きい方の組である支脚部とポケット部の幅寸法を隅角部寄りに形成された凹凸寸法の小さい方の組である支脚部とポケット部の幅寸法よりも狭くしてなることを特徴とする。
また本発明の運搬用容器は、各側壁が開口縁に向かって少し外に拡がるように傾斜している矩形容器であって、その相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を少なくとも４組形成し、組違いでは凸出寸法の大きい支脚部が凹窪寸法の小さいポケット部に嵌入不能なるように凹凸寸法が互いに異なる組を設けるとともに、その凹凸寸法の小さい方の組を該容器の隅角部寄りに形成し、凹凸寸法の大きい方の組を該容器の中央寄りに形成し、中央寄りに形成された凹凸寸法の大きい方の組である支脚部とポケット部の幅寸法を隅角部寄りに形成された凹凸寸法の小さい方の組である支脚部とポケット部の幅寸法よりも狭くしてなることを特徴とする。
【０００９】
【発明の実施の形態】
次に図面に従い本発明の実施の形態を説明する。図１は本発明に係る運搬用容器の外観斜視図、図２は平面図である。この運搬用容器は、長側壁１，２と短側壁３，４が開口縁５に向かい少し外に拡がるように傾斜している矩形容器であり、該容器の外側面に開口縁５より少し間隔を置いて補強リブ６が突設される。そして該容器の中心点Ｏを点対称とする支脚部とポケット部とからなる組が該長側壁１，２および短側壁３，４に４組ずつ以下のようにして形成される。
【００１０】
即ち、長側壁１，２には、互いに点対称位置にある支脚部７Ａ，ポケット部８ＡからなるＡ組と、互いに点対称位置にある支脚部７Ｂ，ポケット部８ＢからなるＢ組と、互いに点対称位置にある支脚部７Ｃ，ポケット部８ＣからなるＣ組と、互いに点対称位置にある支脚部７Ｄ，ポケット部８ＤからなるＤ組が形成される。この支脚部７Ａ〜７Ｄは長側壁１，２の外面より外方に突出するものである。また、ポケット部８Ａ〜８Ｄは長側壁１，２の一部を外方に膨出させることで該容器の内側面が凹窪し前記支脚部７Ａ〜７Ｄが該ポケット部８Ａ〜８Ｄ中に嵌入可能なる大きさに形成される。なお、長側壁１，２の外面で支脚部７Ａ〜７Ｄの下部には縦筋状の寄せリブ９Ａ〜９Ｄが夫々突設される。
【００１１】
ここで、支脚部７Ａ，７Ｂの凸出寸法Ｅは支脚部７Ｃ，７Ｄの凸出寸法Ｆよりも大きく、同様にポケット部８Ａ，８Ｂの凹窪寸法Ｅ′はポケット部８Ｃ，８Ｄの凹窪寸法Ｆ′よりも大きく形成されている。そして、この支脚部７Ｃ，７Ｄとポケット部８Ｃ，８Ｄからなる凹凸寸法の小さい方の組（Ｃ組およびＤ組）を該容器の隅角部寄りに形成し、支脚部７Ａ，７Ｂとポケット部８Ａ，８Ｂからなる凹凸寸法の大きい方の組（Ａ組およびＢ組）をその内側に隣接する如く該容器の中央寄りに形成してなる。
【００１２】
また、中央寄りに形成された凹凸寸法の大きい方の組Ａ，Ｂに属する支脚部７Ａ，７Ｂとポケット部８Ａ，８Ｂの幅寸法Ｍ，Ｍ′は、隅角部寄りに形成された凹凸寸法の小さい方の組Ｃ，Ｄに属する支脚部７Ｃ，７Ｄとポケット部８Ｃ，８Ｄの幅寸法Ｎ，Ｎ′よりも狭くしている。
【００１３】
一方、短側壁３，４には、互いに点対称位置にある支脚部１０Ｇ，ポケット部１１ＧからなるＧ組と、互いに点対称位置にある支脚部１０Ｈ，ポケット部１１ＨからなるＨ組と、互いに点対称位置にある支脚部１０Ｉ，ポケット部１１ＩからなるＩ組と、互いに点対称位置にある支脚部１０Ｊ，ポケット部１１ＪからなるＪ組が形成される。支脚部１０Ｇ〜１０Ｊは短側壁３，４の外面より外方に突出するものある。また、ポケット部１１Ｇ〜１１Ｊは短側壁３，４の一部を外方に膨出させることで該容器の内側面が凹窪し前記支脚部１０Ｇ〜１０Ｊが該ポケット部１１Ｇ〜１１Ｊ中に嵌入可能なる大きさに形成されている。なお、短側壁３，４の外面で支脚部１０Ｇ〜１０Ｊの下部には縦筋状の寄せリブ１２Ｇ〜１２Ｊが突設される。
【００１４】
ここで、支脚部１０Ｇ，１０Ｈの凸出寸法Ｋは支脚部１０Ｉ，１０Ｊの凸出寸法Ｌよりも大きく、同様にポケット部１１Ｇ，１１Ｈの凹窪寸法Ｋ′はポケット部１１Ｉ，１１Ｊの凹窪寸法Ｌ′よりも大きく形成されている。そして、この支脚部１０Ｉ，１０Ｊとポケット部１１Ｉ，１１Ｊからなる凹凸寸法の小さい方の組（Ｉ組およびＪ組）を該容器の隅角部寄りに形成し、支脚部１０Ｇ，１０Ｈとポケット部１１Ｇ，１１Ｈからなる凹凸寸法の大きい方の組（Ｇ組およびＨ組）をその内側に隣接する如く該容器の中央寄りに形成してなる。
【００１５】
また、こうして中央寄りに形成された凹凸寸法の大きい方の組Ｇ，Ｈに属する支脚部１０Ｇ，１０Ｈとポケット部１１Ｇ，１１Ｈの幅寸法Ｐ，Ｐ′は、隅角部寄りに形成された凹凸寸法の小さい方の組Ｉ，Ｊに属する支脚部１０Ｉ，１０Ｊとポケット部１１Ｉ，１１Ｊの幅寸法Ｑ，Ｑ′よりも狭くしている。
【００１６】
なお、上記各ポケット部８Ａ〜８Ｄ，１１Ｇ〜１１Ｊはその底部を段状に形成することにより寄せリブ９Ａ〜９Ｄ，１２Ｇ〜１２Ｊが嵌入可能なるように形成されている。
【００１７】
このように構成した運搬用容器では、図６に示したように、下段の容器上に上段の容器を回転させることなく乗せた場合、下段の容器の開口縁５上に上段の容器の支脚部７Ａ〜７Ｄおよび支脚部１０Ｇ〜１０Ｊが支持されてスタッキングできる。そのとき、上段の容器の寄せリブ９Ａ〜９Ｄ，１２Ｇ〜１２Ｊが下段の容器の側壁内面に接することで上段の容器の横ズレが防止される。また、下段の容器に対して上段の容器を水平面内で１８０度回転させて乗せると、各組どうし寸法が合致することから、下段の容器の各ポケット部８Ａ〜８Ｄ，１１Ｇ〜１１Ｊに上段の容器の支脚部７Ａ〜７Ｄ，支脚部１０Ｇ〜１０Ｊが嵌入し図７に示したようにネスティング状態となる。
【００１８】
しかして本発明では、容器の隅角部寄りに凹窪寸法が小さいポケット部８Ｃ，８Ｄ，１１Ｉ，１１Ｊが形成されていてその付近の強度が高いことから、その近傍に上段の容器の支脚部７Ａ，７Ｂ，１０Ｇ，１０Ｈから集中荷重を受けても変形，破損等を起こし難い。また、これと比較して凹窪寸法が大きいポケット部８Ａ，８Ｂ，１１Ｇ，１１Ｈは元来強度不足とはなり難い容器の中央寄りに形成されていることから、上段の容器の支脚部７Ｃ，７Ｄ，１０Ｉ，１０Ｊから集中荷重を受けても変形，破損等し難い。
【００１９】
また、この容器では、中央寄りに形成された凹凸寸法の大きい方の組である支脚部７Ａ，７Ｂ，１０Ｇ，１０Ｈとポケット部８Ａ，８Ｂ，１１Ｇ，１１Ｈの幅寸法Ｍ，Ｍ′を隅角部寄りに形成された凹凸寸法の小さい方の組である支脚部７Ｃ，７Ｄ，１０Ｉ，１０Ｊとポケット部８Ｃ，８Ｄ，１１Ｉ，１１Ｊの幅寸法Ｎ，Ｎ′よりも狭くしたことから、スタッキングのために上段の容器を下段の容器上でスライドさせた際に、上段の容器の支脚部７Ｃ，７Ｄ，１０Ｉ，１０Ｊが下段の容器のポケット部８Ａ，８Ｂ，１１Ｇ，１１Ｈに落ち込むことなくスムースにスライドし、スライド作業の容易性は確保される。
【００２０】
なお、この実施形態では、長側壁１，２と短側壁３，４に共に４組ずつ支脚部とポケット部を形成したが、一方の側壁にのみ形成してもよい。
【００２１】
【発明の効果】
このように本発明の運搬用容器は、各側壁が開口縁に向かって少し外に拡がるように傾斜している矩形容器であって、その相対する側壁の点対称位置に、該側壁の外面より突出し該容器の開口縁上に乗る支脚部と、該側壁の一部を外方に膨出させることで該容器の内側面に凹窪し前記支脚部が嵌入可能なポケット部を少なくとも４組形成し、該支脚部には凸出寸法に大小を設け、凸出寸法の大きい方の支脚部を該容器の中央寄りに形成してなるので、ポケット部付近の強度不足が解消され変形，破損等を起こし難くして容器の耐荷重性，耐久性を向上させる有益な効果がある。
【図面の簡単な説明】
【図１】本発明に係る運搬用容器の実施形態を示す外観斜視図。
【図２】図１の運搬用容器の平面図。
【図３】図１の運搬用容器の側面図。
【図４】図３のＡ−Ａ線断面図。
【図５】図３のＢ−Ｂ線断面図。
【図６】本発明に係る運搬用容器のスタッキング時の側面図。
【図７】本発明に係る運搬用容器のネスティング時の側面図。
【符号の説明】
１，２      長側壁
３，４      短側壁
５          開口縁
７Ａ〜７Ｄ  支脚部
８Ａ〜８Ｄ  ポケット部
Ｏ          中心点
Ｅ，Ｆ      凸出寸法
Ｅ′，Ｆ′  凹窪寸法
Ｍ，Ｍ′    幅寸法
Ｎ，Ｎ′    幅寸法
【図１】
0003692305.tif 000002
【図２】
0003692305.tif 000003
【図３】
0003692305.tif 000004
【図４】
0003692305.tif 000005
【図５】
0003692305.tif 000006
【図６】
0003692305.tif 000007
【図７】
0003692305.tif 000008